(57)【要約】【課題】重なり合う胴回り域どうしを引き離すことが容易であって、なおかつ着用者が不快感を覚えることのない使い捨て着用物品の提供。【解決手段】使い捨ておむつ１０が、長さ方向，幅方向，内面１４，外面１５，互いに対向し胴周域を有する前パネル部１６および後パネル部１７を含み、幅方向胴周両側部１８で前パネル部１６の外側に後パネル部１７が重なって、それら前パネル部１６および後パネル部１７が連結している。使い捨ておむつ１０は、後パネル部１７の上端部２１の、前パネル部１６と重なり合っている部分に、摘持片４０を備えている。摘持片４０は、基端部４１と、その基端部４１から延びる先端部４２とを有し、基端部４１において後パネル部１７に連接しており、先端部４２が、基端部４１よりも後パネル部１７部の下端部２２寄りに位置する。【選択図】図１
2007105183.tif 000002
【特許請求の範囲】
【請求項１】
長さ方向，幅方向，内面，外面，互いに対向し胴周域を有する第１パネル部および第２パネル部を含み、幅方向胴周両側部で前記第１パネル部の外側に前記第２パネル部が重なって、それら第１パネル部および第２パネル部が連結している使い捨て着用物品において、
前記第２パネル部の上端部の、前記第１パネル部と重なり合っている部分に、摘持片を備え、
前記摘持片は、基端部と、その基端部から延びる先端部とを有し、前記基端部において前記第２パネル部に連接しており、前記先端部が、前記基端部よりも前記第２パネル部の下端部寄りに位置することを特徴とする前記着用物品。
【請求項２】
前記摘持片が、前記第２パネル部の側縁近傍に位置する一方の側縁部と、前記一方の側縁部と幅方向に対向する他方の側縁部とを含み、前記先端部の前記他方の側縁部において前記第２パネル部と接合している請求項１記載の着用物品。
【請求項３】
前記摘持片の前記先端部と前記第２パネル部との対向面間に、前記摘持片を前記第２パネル部に一時的に固定するための係止手段を備えている請求項１または２記載の着用物品。
【請求項４】
前記第１パネル部および前記第２パネル部が、締結手段を介して分離可能に連結している請求項１〜３のいずれか１項に記載の着用物品。
【発明の詳細な説明】
【技術分野】
【０００１】
この発明は、使い捨て着用物品に関する。
【背景技術】
【０００２】
実用新案登録第２６０６７７８号（特許文献１）および実用新案登録第２６０６７８２号（特許文献２）には、前後胴回り域が連結されている対向側部を引き裂くことが容易な使い捨てのパンツ型おむつが開示されている。これらの使い捨てのパンツ型おむつにおける各側部の上端部には、側部から外方へ延出した摘持部が設けてあり、摘持部を摘んで前後胴回り域を切り離すことができる。また、特表２０００−５０４９７５号公報（特許文献３）には、重なり合うサイドパネルを引き剥がして開放することができる使い捨てのパンツ型おむつが開示されている。この使い捨てのパンツ型おむつは、外側に位置するサイドパネルの側縁に、外方へ向けて配置された摘持部を備えている。
【特許文献１】実用新案登録第２６０６７７８号公報
【特許文献２】実用新案登録第２６０６７８２号公報
【特許文献３】特表２０００−５０４９７５号公報
【発明の開示】
【発明が解決しようとする課題】
【０００３】
これらの使い捨てのパンツ型おむつでは、摘持部が、胴回り域を構成するパネルの縁から外方へ突出しているため、摘持部が着用者の肌に当たり、着用者が不快感を覚えることがある。また、重なり合うパネルどうしを引き離すには、摘持部を摘んで下向きに引張る必要があるが、これらの使い捨てのパンツ型おむつにおいては、摘持部が上または横に向いていることから、摘持部を下向きに引張ることが必ずしも容易ではない。
【０００４】
この発明は、上述のような課題に鑑みてなされたものであり、重なり合う胴回り域どうしを引き離すことが容易であって、なおかつ着用者が不快感を覚えることのない使い捨て着用物品を提供することを目的とする。
【課題を解決するための手段】
【０００５】
上記課題を解決するためのこの発明に係る使い捨て着用物品は、長さ方向，幅方向，内面，外面，互いに対向し胴周域を有する第１パネル部および第２パネル部を含み、幅方向胴周両側部で第１パネル部の外側に第２パネル部が重なって、それら第１パネル部および第２パネル部が連結している。この使い捨て着用物品は、第２パネル部の上端部の、第１パネル部と重なり合っている部分に、摘持片を備える。この摘持片は、基端部と、その基端部から延びる先端部とを有し、基端部において第２パネル部に連接しており、先端部が、基端部よりも第２パネル部の下端部寄りに位置することを特徴とする。このような摘持片は、指で摘むことが容易であるとともに、着用者の肌に当たり難い。
【０００６】
この発明において、「摘持片が第２パネル部に連接している」とは、摘持片が、第２パネル部とは別体として形成された後に第２パネル部に接合している場合と、摘持片が、第２パネル部と一体的に形成されている場合との両方を含む。いずれの場合においても、摘持片は、可撓性のシート材料から構成されていることが好ましい。摘持片の形状は任意であるが、先端部の平面形状が先細であると、摘み易くて好ましい。
【０００７】
摘持片が、第２パネル部の側縁近傍に位置する一方の側縁部と、一方の側縁部と幅方向に対向する他方の側縁部とを含み、先端部の他方の側縁部において第２パネル部と接合していると、より好ましい。摘持片が、基端部だけでなく上記他方の側縁部においても第２パネル部と接合していることにより、摘持片の先端部が捲れ上がり難くなって、摘持片が肌に当たって着用者に不快感を与えることを防止できるとともに、摘持片を下向きに引張って、第２パネル部をその上端部の角から斜め下に向かって剥がすことが容易になる。
【０００８】
この着用物品が、摘持片の先端部と第２パネル部との対向面間に、摘持片を第２パネル部に一時的に固定するための係止手段を備えていると、摘持片を下向きに固定できるからさらに好ましい。係止手段は、繰り返し着脱可能なものが好ましく、例えば、メカニカルファスナの雌雄部材を使用したり、感圧性粘着剤からなる粘着層とそれが止着するプラスチックフィルム等からなる受止片とを組み合わせて使用したりすることが好ましい。
係止手段として、メカニカルファスナの雌雄部材を使用する場合には、雌部材を摘持片に固着させ、雄部材を第２パネル部に固着させてもよく、また、その逆でもよい。第２パネル部が、摘持片との対向面に、メカニカルファスナの雄部材が係合可能なパイル状毛羽を有する場合には、雌部材を省略し、雄部材が摘持片に固着しているだけでもよい。
係止手段として、感圧性粘着剤からなる粘着層とそれが止着するプラスチックフィルム等からなる受止片とを組み合わせて使用する場合には、粘着層および受止片のどちらが摘持片に固着していてもよい。
上述の係止手段を設けることに代えて、ヒートシールによって摘持片の一部を第２パネル部に仮接着してもよい。
【０００９】
この発明は、開放型の使い捨て着用物品としても、パンツ型の使い捨て着用物品としても実施することができる。
この使い捨て着用物品が開放型である場合、第１パネル部と第２パネル部とを分離可能に連結する締結手段としては、繰り返し着脱可能なものであれば、メカニカルファスナを用いてもよく、感圧性粘着剤からなる粘着層をプラスチックフィルム等からなる受止片と組み合わせて用いてもよい。
この使い捨て着用物品がパンツ型である場合、第１パネル部と第２パネル部とは、後に容易に切り離すことができるように接合されていることが好ましい。第１パネル部と第２パネル部とを切り離し容易に接合する手段としては、例えば、幅方向胴周両側部に設けられる接合部を断続的に配置することが挙げられる。また、第１パネル部または第２パネル部に所謂ミシン線を設ける等して、接合部以外の部分でパネル部を容易に引き裂くことができるようにしてあってもよい。
第１パネル部と第２パネル部とは、どちらが前側でもよい。
【発明の効果】
【００１０】
この発明に係る使い捨て着用物品によれば、摘持片を摘んで連結している第１パネル部と第２パネル部とを引き離すことが容易であるとともに、摘持片が着用者の肌に当たって着用者に不快感を与える虞がない。
【００１１】
この発明に係る使い捨て着用物品として使い捨ておむつを例にとり、この発明の実施形態について、図面を参照しながら以下に説明する。ただし、この発明は、実施形態に限定されるものではない。
【発明を実施するための最良の形態】
【００１２】
図１に示されている使い捨ておむつ１０は、長さ方向，幅方向，内面１４，外面１５，互いに対向し胴周域を有する前パネル部１６および後パネル部１７を含み、主に、透液性の内面シート１１と、不透液性であってパイル状毛羽を有する外面シート１２と、これら両シート１１，１２間に介在する体液吸収性の芯材１３とで構成されている。対向する幅方向胴周両側部１８では、前パネル部１６の外側に後パネル部１７が重なって、前パネル部１６および後パネル部１７が、締結手段を介して連結しており、それによって、胴開口および一対の脚開口が形成されている。
【００１３】
後パネル部１７は、幅方向胴周両側部１８において内面シート１１および外面シート１２とは別体のシート部材により構成された切替部１９を含んでいる。切替部１９を構成するシート部材は、後パネル部１７のその他の部分を構成している内外面シート１１，１２と合掌状に重なり合い、後パネル部１７の上端部２１と下端部２２との間に形成された接合部位２０において、内外面シート１１，１２と接合している。切替部１９を構成するシート部材は、外面シート１２と同様に、不透液性であって、パイル状毛羽を有する。
図２に示されているように、前後パネル部１６，１７を連結するための上記締結手段は、前パネル部１６の外面１５に取り付けられているプラスチックフィルムからなる受止片２４と、後パネル部１７の内面１４に形成されている粘着層２５とからなる。粘着層２５は、切替部１９の内面１４に取り付けられた基材に感圧性粘着剤が塗布されて形成されている。
【００１４】
前後パネル部１６，１７には、胴周弾性部材３１および脚周弾性部材３３が、それぞれ、胴開口および脚開口に沿って取り付けられている。前後パネル部１６，１７の胴周弾性部材３１より下側には、胴周および脚周弾性部材３１，３３の伸長応力よりも低い伸長応力を有し、幅方向に延びる胴周補助弾性部材３２が取り付けられている。胴周弾性部材３１，胴周補助弾性部材３２および脚周弾性部材３３は、内面シート１１および外面シート１２の間に挟まれており、内外面シート１１，１２の少なくともどちらか一方に、伸長状態下にホットメルト等の公知の接着剤（図示せず）によって接合されている。
各弾性部材３１，３２，３３は、前パネル部１６の受止片２４が固定されている部分および後パネル部１７の粘着層２５が形成されている部分には、存在していないか、または存在していても前後パネル部１６，１７を構成するシート部材には接合していないことが好ましい。
【００１５】
図３に示されているように、胴周両側部１８において、前パネル部１６の外面１５に固定されている受止片２４は、前パネル部１６の上下端部２１，２２の一部を残して前パネル部１６の外面１５を覆っていることが好ましい。図４に示されているように、後パネル部１７の内面１４に形成されている粘着層２５も、後パネル部１７の上下端部２１，２２の一部を残して後パネル部１７の内面１４を覆っていることが好ましい。すなわち、後パネル部１７の上下端部２１，２２には、粘着剤が塗布されていないドライエッジが存在していることが好ましい。
後パネル部１７の幅方向の側縁の上端は、角丸である。その角丸の部分を含む後パネル部１７の上端近傍の一部分１９ａは、その他の部分と色が異なっている。
【００１６】
後パネル部１７の上端部２１の、前パネル部１６と重なり合う部分に、摘持片４０が設けられている。摘持片４０は、切替部１９を構成するシート部材により後パネル部１７と一体的に構成されており、基端部４１と、その基端部４１から延びる先端部４２とを有し、基端部４１において後パネル部１７に連接している。基端部４１は、後パネル部１７の上端部２１の、粘着剤で覆われていない部分に位置している。先端部４２は、基端部４１よりも後パネル部１７の下端部２２寄りに位置している。
摘持片４０は、幅方向に対向する一対の側縁部４３ａ，４３ｂを含んでいる。この一対の側縁部４３ａ，４３ｂのうち、後パネル部１７の側縁近傍に位置する一方の側縁部４３bは、後パネル部１７の側縁に沿うように直線状に延びている。側縁部４３bと幅方向に対向する他方の側縁部４３aは、基端部４１の近傍では切替部１９の幅方向の側縁に揃うように直線状に延びているが、途中から側縁部４３ｂに近づくように先端に向かって曲線を描いて延びている。
図５に示されているように、摘持片４０は、先端部４２が後パネル部１７の外面１５と対向するように折曲され、先端部４２の側縁部４３ａにおいて基端部４１近傍の一部分のみが接合部２０により後パネル部１７と接合している。
【００１７】
摘持片４０の先端部４２の、後パネル部１７との対向面には、メカニカルファスナの雄部材４４が取り付けられている。対する切替部１９の摘持片４０との対向面、すなわち後パネル部１７の切替部１９における外面１５を構成するシート部材は、メカニカルファスナの雄部材４４が係合可能なパイル状毛羽を有している。摘持片４０は、このメカニカルファスナの雄部材４４を介して、後パネル部１７に一時的に固定されている。
【００１８】
図６に示されているように、上記締結手段を介して連結している前後パネル部１６，１７を引き離すときには、摘持片４０を指で摘んで後パネル部１７から剥がし、そのまま下方に摘持片４０を引っ張る。すると、後パネル部１７は、図の左上角に位置する側縁部４３ｂの上端から右下へ斜めに剥がれていく。上述したとおり、後パネル部１７の上端部２１には粘着剤が塗布されていないドライエッジが存在しているから、後パネル部１７が側縁部４３ｂの上端から剥がれ始めるとき、前パネル部１６の受止片２４と後パネル部１７の粘着層２５との対向面間に剥離力が作用するので、後パネル部１７が前パネル部１６から剥離し易い。このように、この使い捨ておむつ１０では、後パネル部１７の上端部２１にドライエッジが存在し、摘持片４０の側縁部４３ａの基端部４１近傍の一部分が接合部２０において後パネル部１７と接合していることにより、摘持片４０を斜め下向きに引張って前後パネル部１６，１７を引き離すことが容易である。
この使い捨ておむつ１０では、繰り返し着脱可能な締結手段を介して前後パネル部１６，１７が連結しているから、おむつの汚れ具合の確認を繰り返し行うことができる。摘持片４０の先端部４２が、基端部４１よりも後パネル部１７の下端部２２寄りに位置し、摘持片４０がほぼ下向きに延びているから、おむつの着用中に摘持片４０が邪魔にならず、着用者に不快感を与えることがない。また、摘持片４０の先端部４２と前パネル部１６との対向面間に、一時的な係止手段としてメカニカルファスナの雄部材４４が設けられているから、摘持片４０が捲れ上がることがない。このメカニカルファスナの雄部材４４は、使用後のおむつを廃棄するときに、丸めたおむつの端を留めるのにも役立てることができる。さらにまた、摘持片４０が設けられている後パネル部１７の上端部２１の一部分１９ａが、その他の部分と色が異なっていることにより、そこに摘持片４０が設けられていることを容易に認識することができる。
【００１９】
後パネル部１７の切替部１９を省略し、後パネル部１７を構成している内面シート１１および外面シート１２で、摘持片４０を後パネル部１７と一体的に形成してもよい。
後パネル部１７と別体として形成された摘持片４０が、基端部４１において第２パネル部の上端部２１に接合していてもよい。
摘持片４０の形状は図示のものに限られない。摘持片４０は、対向側縁部がほぼ平行に延びた矩形の先端部４２を有するものでもよく、先端部４２の対向側縁部どうしが互いに近づき合うように延びている先細の先端部４２を有するものでもよい。
摘持片４０は、先端部４２の側縁部４３ａにおいて後パネル部１７と接合していてもよい。指で摘むことができる部分が残されている限りは、摘持片４０が、先端部４２の対向する両側縁部４３ａ，４３ｂで後パネル部１７に接合していてもよい。摘持片４０の指で摘むことができる部分の長さが、およそ２０〜３０ｍｍであると好ましい。また、摘持片４０は、一側縁部の一部だけでなく、一側縁部の全体にわたって後パネル部１７に接合していてもよい。摘持片４０の側縁部は、連続的に接合されてもよく、断続的に接合されてもよい。
【００２０】
図示の使い捨ておむつ１０では、摘持片４０を後パネル部１７に一時的に固定するための係止手段として、メカニカルファスナの雄部材のみを使用しているが、摘持片４０に取り付けられている雄部材が係合可能なメカニカルファスナの雌部材を後パネル部１７の外面１５に取り付けてもよい。その場合には、摘持片４０に雌部材が取り付けられ、後パネル部１７に雄部材が取り付けられてもよい。また、メカニカルファスナの雌雄部材に代えて、感圧性粘着剤からなる粘着層とプラスチックフィルムとからなる受止片とを組み合わせて係止手段としてもよい。係止手段は省略することもできる。摘持片４０を後パネル部１７に一時的に固定する代わりに、摘持片４０の先端部４２における一部のみをヒートシール等の手段によって後パネル部１７に固着してもよい。
図示の使い捨ておむつ１０は、摘持片４０が設けられている後パネル部１７の上端部２１の一部分１９ａは、その他の部分と同じ色であってもよい。
【００２１】
前パネル部１６および後パネル部１７を連結する締結手段として、受止片２４と粘着層２５との組み合わせに代えて、メカニカルファスナの雌雄部材を使用してもよい。その場合、前パネル部１６および後パネル部１７のどちらに雄部材を取り付けてもよい。後パネル部１７に雄部材を取り付ける場合には、対向する前パネル部１６の外面１５を形成している外面シート１２が、メカニカルファスナの雄部材が係合可能なパイル状毛羽を有しているから、雌部材を省略することができる。
幅方向胴周両側部１８で重なり合っている前後パネル部１６，１７が、締結手段を介さずに接合していてもよい。その場合には、後に、手で引き離すことができるように前後パネル部１６，１７が接合しているか、接合部以外で前後パネル部１６，１７を容易に引き裂くことができる部分を含んでいることが好ましい。前後パネル部１６，１７を手で引き離することができるように接合するには、例えば、幅方向に延びる複数の接合線を、パネル部の上下端部２１，２２の間で間隔をあけて設ける。この場合、摘持片４０は、パネル部の上端部２１における上記接合線の近傍に設けられることが好ましい。幅方向胴周両側部１８において前後パネル部１６，１７を容易に引き裂くことができる部分を設けるには、例えば、パネル部の上端部２１から下端部２２に延びるミシン線を形成する。この場合、摘持片４０は、パネル部の上端部２１における上記ミシン線の近傍に設けられることが好ましい。
図示のものとは異なり、使い捨ておむつ１０の幅方向胴周両側部１８において、後パネル部１７の外側に前パネル部１６が重なって、前パネル部１６の上端部２１に摘持片４０が設けられてもよい。
【００２２】
内面シート１１および外面シート１２には、不織布，織布，およびプラスチックフィルムなど、この種の物品で通常用いられる公知のシート材料を適宜選択して用いることができる。
芯材１３には、粉砕パルプと高吸水性ポリマー粒子との混合物を液透過性または液透過性と液拡散性とに優れたティッシュペーパや不織布等のシート材料で被覆したものや、粉砕パルプをそのようなシート材料で被覆したもの等を使用することができる。
前後パネル部１６，１７を連結する締結手段として粘着層を用いる場合、粘着層は、公知のプラスチックフィルム、例えば、延伸されたポリプロピレンフィルムからなる基材に、この種の物品に通常用いられるゴム系，アクリル系，エポキシ系，およびシリコーン系粘着剤などの公知の感圧性粘着剤を約１０〜５０ミクロンの厚みで塗布することにより形成すると好ましい。この粘着層に対向する受止片には、公知のプラスチックフィルム等を用いることができる。
【００２３】
摘持片４０は、上記締結手段の係合を解いて前後パネル部を引き離すために必要な引張力に耐え得る強度を有するものであれば、不織布，織布，およびプラスチックフィルムなど、この種の物品で通常用いられる公知のシート材料の中から適宜選択して用いることができるが、可撓性および柔軟性を有するシート材料であると好ましい。複数枚のシートを重ねて摘持片４０としてもよい。
【００２４】
摘持片４０を後パネル部１７に一時的に固定するための係止手段としては、公知のメカニカルファスナの雌雄部材を用いるか、または公知の感圧性粘着剤により形成された粘着層とそれに対向する公知のプラスチックフィルム等からなる受止片とを組み合わせて用いることができる。
弾性部材３１，３２，３３には、天然ゴム、合成ゴム、ウレタンフォームなど公知の材料からなる糸ゴムや平ゴム等を使用することができる。
各部材どうしの接合は、ホットメルト接着剤等の接着剤を用いた接着や、熱あるいは超音波による溶着など、周知慣用の接合手段により行うことができる。
本発明は、パンツ型の使い捨ておむつ以外に、トレーニングパンツや、失禁患者用パンツ，生理用ショーツ等のパンツ型の使い捨て着用物品として実施することができる。
【図面の簡単な説明】
【００２５】
【図１】この発明に係る使い捨ておむつの斜視図。
【図２】図1の使い捨ておむつの２−２線矢視断面図。
【図３】胴周側部における前パネル部の一部を拡大して示す図。
【図４】胴周側部における後パネル部の一部を拡大して示す図。
【図５】後パネル部の上端部側へ展開させた摘持片を示す図と後パネル部に対向している摘持片を示す図。
【図６】摘持片を指で摘んで前後パネル部を引き離す様子を示す図。
【符号の説明】
【００２６】
１０      使い捨ておむつ（使い捨て着用物品）
１４      内面
１５      外面
１６      前パネル部（第１パネル部）
１７      後パネル部（第２パネル部）
１８      胴周両側部
２１      上端部
２２      下端部
４０      摘持片
４１      基端部
４２      先端部
【図１】
2007105183.tif 000003
【図２】
2007105183.tif 000004
【図３】
2007105183.tif 000005
【図４】
2007105183.tif 000006
【図５】
2007105183.tif 000007
【図６】
2007105183.tif 000008